(57)【要約】【課題】水流制御式多功能シャワーヘッドの提供。【解決手段】本構造は、シャワーヘッドの出水頭本体内に偏心水輪を設置し、水がャワーヘッドから噴き出す前、偏心水輪を駆動して旋転させる。偏心水輪は偏心設計により振動を生成し、出水頭のブラシ、凸粒、凸柱、或いは、尖柱等の補助素子を装着して、人体に接触させ、シャワーと同時にマッサージ効果を得ることができる。この他、出水頭本体に連接された取っ手表面は防滑効果を有し、使用時に手から滑り落ちるのを防止する。取っ手と出水頭本体の連接箇所は、防振パッドを設置して、握った時に感じる振動を減少させる。また、取っ手に弁と水流制御スイッチを設置し、出水量と振動力を制御することができる。【選択図】    図１
0003131218.tif 000002
【実用新案登録請求の範囲】
【請求項１】
水流制御式多功能シャワーヘッドであって、
中空の殻体で、内部に第一端と第二端を貫通する出水道を有する本体と、
前記本体の第一端に連接され、複数の出水孔と一中心軸を有する出水頭と、
前記中心軸に組み合わされ、前記中心軸に沿って旋転し、前記出水道が切線方向に対応する偏心水ヘッドと、
前記本体の第二端に連接され、中空の管体で、水が本体に進入して前記偏心水輪に衝撃を与え、前記出水孔から噴出する取っ手と、
からなることを特徴とするシャワーヘッド。
【請求項２】
前記取っ手内に弁を有し、前記弁は前記取っ手外に延伸する水流調節スイッチを設置することを特徴とする請求項１に記載のシャワーヘッド。
【請求項３】
前記偏心水ヘッド輪の軸孔はベアリングを有し、前記ベアリングは前記中心軸に組み合わされ、前記本体と前記取っ手間は中空のジョイントにより連接され、前記ジョイント両端と前記本体、及び、前記取っ手間に防振パッドを有し、前記取っ手外表面は防滑構造で、前記出水頭はブラシ、複数の凸粒、複数の凸柱、複数の尖柱を有することを特徴とする請求項１に記載のシャワーヘッド。
【考案の詳細な説明】
【技術分野】
【０００１】
本考案はシャワーヘッドに関し、特に、マッサージ効果を有するシャワーヘッドに関する。
【背景技術】
【０００２】
シャワーヘッドはシャワーに欠かせない道具であり、多くは、単純な噴水功能を有するか、それにマッサージ効果を加えたものである。公知のマッサージ型シャワーヘッドは水によりマッサージを主とし、ヘッドの構造設計により、旋転、或いは、スイッチを押すと出水速度や形態が制御され、噴出した水は異なる力量、及び、方式で人体に衝撃を与え、マッサージ効果を達成する。
【考案の開示】
【考案が解決しようとする課題】
【０００３】
本考案の目的は、水流制御式多功能シャワーヘッドを提供することにある。
【課題を解決するための手段】
【０００４】
本考案の水流制御式多功能シャワーヘッドは、電源を使用しなくても振動を発生させ、安全使用できる。
【０００５】
本考案の水流制御式多功能シャワーヘッドは、使用者のニーズに応じて出水頭を交換でき、異なるマッサージ効果を得る。
【０００６】
本考案の水流制御式多功能シャワーヘッドは、出水量を調節できる非電動式マッサージヘッドである。
【０００７】
本考案の水流制御式多功能シャワーヘッドは、使用者が手持してマッサージする時、手部が振動作用を受けて痺れる問題を回避する。
【０００８】
本考案の水流制御式多功能シャワーヘッドは、防滑効果のある手握部を有する。
【考案の効果】
【０００９】
本考案の水流制御式多功能シャワーヘッドは、電源を使用しなくても振動を発生させ、安全使用できる、使用者のニーズに応じて出水頭を交換でき、異なるマッサージ効果を得る、出水量を調節できる非電動式マッサージヘッドである、使用者が手持してマッサージする時、手部が振動作用を受けて痺れる問題を回避する、防滑効果のある手握部を有する、等の長所が得られる。
【考案を実施するための最良の形態】
【００１０】
図１、図３、図４は、本考案のシャワーヘッドの好ましい実施例を示す図で、ヘッド本体１内に偏心水輪３と出水道１１を設置する。出水道１１は偏心水輪３の切線方向に対応し、出水道１１から水が流出する時、直接偏心水輪３を駆動して旋転させ、偏心水輪３が偏心設置される特徴を有する。旋転と同時に振動が生成され、振動は直接、本体１に伝導され、使用者は本体１に連接した取っ手６を握り、本体１を直接人体に接触させてマッサージを実行し、マッサージしながらシャワーもできる。
【００１１】
図２は本考案のシャワーヘッドを示す図で、含まれる素子は、本体１、出水頭２、偏心水輪３、ジョイント４、二防振パッド５、及び、取っ手６、である。本体１は中空の殻体で、本体１内に第一端、第二端を貫通する出水道１１を有し、第一端と第二端はそれぞれ外螺紋１２と内螺紋１３を有する。
【００１２】
出水頭２は本体１の第一端に連接される。出水頭２は複数の出水孔２１と中央の中心軸２２を有する。出水頭２の内径は内螺紋２３を有する。出水頭２の出水孔２１外表面がブラシ２A、凸粒２B（図５A）、凸柱（図５B）、尖柱２D（図５C）等を設置することができ、使用者はマッサージしたい部位やマッサージの種類によって交換できる。出水頭２と本体１の組み合わせ方式は、直接、内螺紋２３と外螺紋１２を螺合すればよい。
【００１３】
偏心水輪３の好ましい実施例は、複数の放射状排列の弧状ブレードを有し、偏心位置に偏心孔を設置する。偏振孔内はベアリング３１を設置し、ベアリング３１は出水頭２の中心軸２２で組み合わされ、偏心水輪３は中心軸２２で自由に旋転する。
【００１４】
取っ手６の好ましい実施例は、防滑効果に優れたラバーにより製造されるか、その外表面に網状、或いは複数の顆粒で構成される粗雑面により防滑効果を得る。取っ手６は中空の管体で、一端は内螺紋６１を有し、もう一端は水道の出水管を連接する。取っ手６内は水流チャンネルを制御する弁６２を設置し、弁６２は取っ手６外部に延伸する水流調整スイッチ６３を設置し、水流調整スイッチ６３を旋転させて、弁６２を通過する水の量を制御する。
【００１５】
本体１の振動が取っ手６に伝導して使用者の手部が不快感を感じないように、本考案が提供するジョイント４により取っ手６と本体１を連接し、ジョイント４と本体１の間と、ジョイント４と取っ手６の間に防振パッド５を設置し、本体１の振動がパッド５により吸収され、取っ手６を振動させない。ジョイント４は流体が通過できる素子で、両端にそれぞれ外螺紋４１を設置し、ジョイント４両端がそれぞれ防振パッド５を設置した後、外螺紋４１により本体１と取っ手６の内螺紋１３、及び、６１と鎖合し、取っ手６と本体１の組み合わせを完成する。
【図面の簡単な説明】
【００１６】
【図１】本考案のシャワーヘッド構造の平面断面図である。
【図２】本考案のシャワーヘッド素子の組み合わせ実施図である。
【図３】本考案のシャワーヘッド内の偏心水輪が水の衝撃を受けて旋転し、振動を生成する局部平面断面図である。
【図４】本考案のシャワーヘッド内の出水道が偏心水輪の切線方向に接近し、偏心水輪を駆動して旋転させる局部平面断面図である。
【図５Ａ】本考案の出水頭の多種構造の実施例図である。
【図５Ｂ】本考案の出水頭の多種構造の実施例図である。
【図５Ｃ】本考案の出水頭の多種構造の実施例図である。
【符号の説明】
【００１７】
1……本体
11……出水道
12……外螺紋
13……内螺紋
2……出水頭
21……出水孔
22……中心軸
23……内螺紋
2A……ブラシ
2B……凸粒
2C……凸柱
2D……尖柱
3……偏心水輪
31……ベアリング
4……ジョイント
41……外螺紋
5……防振パッド
6……取っ手
61……内螺紋
62……水流調整スイッチ
63……弁
【図１】
0003131218.tif 000003
【図２】
0003131218.tif 000004
【図３】
0003131218.tif 000005
【図４】
0003131218.tif 000006
【図５Ａ】
0003131218.tif 000007
【図５Ｂ】
0003131218.tif 000008
【図５Ｃ】
0003131218.tif 000009